(57)【特許請求の範囲】
【請求項１】
海外コンセント用アダプタにおいて、絶縁体からなる第一基板（１ａ）の上端面部に立設されたプラグ端子（Ａ）が、その立設状態において並行に可動することにより該プラグ端子のピッチ幅が調節自在となる第一アダプタ（１）と、絶縁体からなる第二基板（２ａ）の対向する側面部にＢＦタイプ用アース穴用ピン（Ｂ）とＢ３タイプ用アース穴用ピン（Ｃ）が折りたたみ自在に設けられ、かつ該第二基板（２ａ）の上端面部にＯタイプ用プラグ端子（Ｄ）とを立設する第二アダプタ（２）からなり、該第一アダプタ（１）の第一基板（１ａ）の表面に該第二アダプタ（２）後端面部が結合自在となることを特徴とする海外用コンセントアダプタ。
【請求項２】
第一アダプタ（１）の後端面部に第二アダプタ（２）のＯタイプ用プラグ端子（Ｄ）が差し込み可能となることを特徴とする請求項１に記載された海外用コンセントアダプタ。
【請求項３】
第二アダプタ（２）にＯタイプ用アース穴用ピン（Ｅ）を設けることを特徴とする請求項１又は請求項２に記載され海外用コンセントアダプタ。
【発明の詳細な説明】
【０００１】
【発明の属する技術分野】
本発明は、海外旅行時に携帯する海外コンセント用のアダプタに関するものである。
【０００２】
【従来の技術】
海外用コンセントは、ＢＦ、Ｂ３、Ｂ、Ｃ、ＳＥ、Ｏの各種タイプがあり、例えば海外旅行時に日本の電化製品を使用する場合、各国のコンセントタイプに合わせ各種コンセントアダプタが必要となる。
【０００３】
さて、従来提供されている海外コンセント用アダプタは、各コンセントタイプに合わせ各種のアダプタがその種類数必要となり、かつアダプタ単体のサイズも非常に大きいものであるため極めて携帯性に欠くものであった。
【０００４】
また、各コンセントタイプに対応するアダプタをそれぞれ単体において使用した場合、コンセントの差込に安定性を欠くものが多かった。
【０００５】
【発明が解決しようとする課題】
本発明はかかる問題点に鑑みなされたものであって、その目的とするところは、海外用コンセント用アダプタにおいて、必要アダプタ数を最小限かつコンパクトにすることにより海外旅行時にあっても携帯性に優れ、かつコンセントへの差込が安定する海外用コンセントアダプタを提供するものである。
【０００６】
【課題を解決するための手段】
本発明は上記の目的を達成するためになされたものであり、海外コンセント用アダプタにおいて、
海外コンセント用アダプタにおいて、絶縁体からなる第一基板（１ａ）の上端面部に立設されたプラグ端子（Ａ）が、その立設状態において並行に可動することにより該プラグ端子のピッチ幅が調節自在となる第一アダプタ（１）と、絶縁体からなる第二基板（２ａ）の対向する側面部にＢＦタイプ用アース穴用ピン（Ｂ）とＢ３タイプ用アース穴用ピン（Ｃ）が折りたたみ自在に設けられ、かつ該第二基板（２ａ）の上端面部にＯタイプ用プラグ端子（Ｄ）とを立設する第二アダプタ（２）からなり、該第一アダプタ（１）の第一基板（１ａ）の表面に該第二アダプタ（２）後端面部が結合自在となることを特徴とするものである（請求項１）。
【０００７】
また、請求項１に記載された海外用コンセントアダプタにおいて、第一アダプタ（１）の後端面部に第二アダプタ（２）のＯタイプ用プラグ端子（Ｄ）が差し込み可能となることを特徴とするものである（請求項２）。
【０００８】
また、請求項１又は請求項２に記載された海外用コンセントアダプタにおいて、第二アダプタ（２）にＯタイプ用アース穴用ピンを設けたことを特徴とするものである。
【０００９】
本発明は上記のように構成されるため、第一アダプタと第二アダプタが結合自在となり、結合の態様によりＢＦタイプ、Ｂ３タイプなどの各コンセントタイプに使用可能となる。
【００１０】
また、第二アダプタに設けられるアース穴用ピンが折りたたみ自在となるため、第一アダプタと第二アダプタとを結合した状態においてＢ、Ｃタイプの各コンセントタイプに使用可能となる。
【００１１】
ＳＥタイプ、Ｏタイプ以外のコンセントタイプに使用する場合は、第一アダプタと第二アダプタが結合状態において使用されるため、電源孔が設けられる壁面とアダプタの設置面積が多くなり、ぐらつきを無くし、差込を安定させることが可能となる。
【００１２】
第一アダプタのプラグ端子のピッチ幅を調節可能となり、海外における電源孔に適宜対応可能となる。
【００１３】
また、請求項２に記載された発明においては、第一アダプタ（１）の後端面部に第二アダプタ（２）のＯタイプ用プラグ端子（Ｄ）が差し込み可能となるため、極めてコンパクトな携帯性に優れるコンセントアダプタを提供することが可能となる。
【００１４】
また、請求項３に記載された発明においては、第二アダプタ（２）にＯタイプ用アース穴用ピンを設けているためアースシャッターを有するＯタイプコンセントにも対応可能な海外用コンセントアダプタを提供することが可能となる。
【００１５】
【発明の実施の形態】
以下、図面に基づき本発明の実施の形態を説明する。
【００１６】
本発明は、第一アダプタ（１）と第二アダプタ（２）からなるものであり、その組合せにより、各種のコンセントタイプ、すなわちＢＦ、Ｂ３、Ｂ、Ｃ、ＳＥ、Ｏの各種タイプに対応可能な海外コンセントアダプタとなるものである。
【００１７】
第一アダプタ（１）には、絶縁体からなる第一基板（１ａ）の上端面部にプラグ端子（Ａ）が立設されている。
【００１８】
具体的には、例えば、丸棒状に形成された該プラグ端子（Ａ）の下端が第一基板（１ａ）に埋設されており、約１７ｍｍ程度の丸棒状プラグ端子（Ａ）が突出している。
【００１９】
かかるように形成されるため、該プラグ端子（Ａ）は、各国の電源端子孔に容易に挿入することが可能となる。
【００２０】
該プラグ端子（Ａ）は、その立設した状態において、並行に可動することができるため、プラグ端子（Ａ）のピッチ幅を調節することが可能となる。
【００２１】
なお、プラグ端子（Ａ）の可動構造は、例えば第一基板（１）内部にプラグ端子（Ａ）と接続されたスライド部材を設け、かかるスライド部材を基板の側面部から突出させ、
かかる構成を採用することにより、本発明に係る海外コンセント用アダプタは海外の電源端子孔の各種幅に合わせ使用可能となる。
【００２２】
第二プラグ（２）には、絶縁体からなる第二基板（２）の対向する側面部にそれぞれＢＦ用のアース穴用ピン（Ｂ）とＢ３用のアース穴用ピン（Ｃ）が設けられている。
【００２３】
ＢＦタイプとＢ３タイプのコンセントは安全を図るため、アース穴にピンを挿入させなければ、プラグ端子を差し込むことができない構造が採用されている。
【００２４】
すなわち、本発明の海外コンセント用アダプタは、上記の第一アダプタ（１）と第二アダプタ（２）を結合させることにより、これらのＢＦタイプとＢ３タイプのコンセントに使用可能となるものである。
【００２５】
例えば図３〜図４に示すように、第一アダプタ（１）に立設されたプラグ端子（Ａ）と同方向に、各アース穴用ピン（Ｂ，Ｃ）を突出させた状態において、第一アダプタ（１）と第二アダプタ（２）を結合させることにより、ＢＦタイプとＢ３タイプのコンセントに使用することが可能となる。
【００２６】
なお、第二アダプタ（２）に設けられたＢＦタイプ用のアース穴用ピン（Ｂ）とＢ３タイプ用のアース穴用ピン（Ｃ）は折りたたみ自在となるため、ＢタイプおよびＣタイプのコンセントへの使用の際は、各アース穴用ピンは折りたたむことになる。
【００２７】
折りたたみ自在となる構造は、例えば、第二基板（２ａ）内に埋設されている各アース穴用ピンの後端部が回動軸となり、基板（２ａ）側面に対し垂設された状態と、基板（２ａ）側面に対し基板内に並行に収納される状態において係止されるように双方向に回動されるものである。
【００２８】
なお、基板（２ａ）側面部には、例えば、各アース穴用ピンが収容される溝が設けられている。
【００２９】
第一アダプタ（１）と第二アダプタ（２）が結合した状態においてコンセントに差し込まれるため、第二アダプタ（２）がコンセント孔の設けられた壁面に密着し、頗る安定した差込が実現される。
【００３０】
なお、ＳＥタイプのコンセントにおいては第一アダプタ（１）単体を用い、Ｏタイプのコンセントにおいては第二アダプタ（２）単体をそれぞれ用いることとなる。
【００３１】
さらに、請求項２に記載された本発明に係る海外コンセント用アダプタは、第二アダプタ（２）前端面に立設されているＯタイプのプラグ端子（Ｄ）を差し込み、かつ第二アダプタ（２）の各アース穴用ピン（Ｂ，Ｃ）を折りたたむことにより、図５に示すように、極めてコンパクトにまとまり、携帯性に富む海外コンセント用アダプタを提供することができる。
【００３２】
なお、折りたたまれた第二アダプタ（２）の各アース穴用ピン（Ｂ，Ｃ）を収容するため、例えば、第一アダプタ（１）の両側面部にアース穴用ピンが収容される溝を設けることにより、結合状態において、二つのアダプタの側面部が平面状になり、携帯性に資する構造となる。
【００３３】
また、請求項３に記載された本発明に係る海外コンセント用アダプタは、第二アダプタ（２）にＯタイプ用のアース穴用ピン（Ｅ）が設けられている。
【００３４】
該Ｏタイプ用アース穴用ピン（Ｅ）は、アースシャッター付きのＯタイプ用コンセントに挿入可能にするため、例えば図６に示すとおり、基板（２ａ）の一方面に差し込み、上方に突設する状態において固定されるものであり、ハ状に並列したＯタイププラグ端子（Ｄ）との中心部に位置づけられるように設けられる。
【００３５】
なお、該Ｏタイプ用アース穴用ピン（Ｅ）は、基板（２ａ）より取り外し自在に設けられる構成や、基板（２ａ）に装着され、使用時のみ突出させ不使用時には基板（２ａ）内に収納可能とする構成などが考えられる。
【００３６】
なお、取り外し自在に設けられる構成においては、不使用状態では取り外された該Ｏタイプ用アース穴用ピン（Ｅ）が、本発明におけるアダプタの携帯性を確保すべく、基板（２ａ）に収納可能とさせるものである。
【００３７】
【発明の効果】
本発明は上記のように詳述した構成を採用することにより、以下の効果を奏するものである。
【００３８】
本発明は上記のように構成されるため、第一アダプタと第二アダプタが結合自在となり、結合の態様によりＢＦタイプ、Ｂ３タイプなどの各コンセントタイプに使用可能となる。
【００３９】
また、第二アダプタに設けられるアース穴用ピンが折りたたみ自在となるため、第一アダプタと第二アダプタとを結合した状態においてＢ、Ｃタイプの各コンセントタイプに使用可能となる。
【００４０】
ＳＥタイプ、Ｏタイプ以外のコンセントタイプに使用する場合は、第一アダプタと第二アダプタが結合状態において使用されるため、電源孔が設けられる壁面とアダプタの設置面積が多くなり、ぐらつきを無くし、差込を安定させることが可能となる。
【００４１】
第一アダプタのプラグ端子のピッチ幅を調節可能となり、海外における電源孔に適宜対応可能となる。
【００４２】
アースシャッター付きＯタイプコンセントに対応可能となる。
【図面の簡単な説明】
【図１】本発明に係る海外コンセント用アダプタにおける第一アダプタの一実施例を示す斜視図。
【図２】本発明に係る海外コンセント用アダプタにおける第二アダプタの一実施例を示す斜視図。
【図３】本発明に係る海外コンセント用アダプタの一実施例を示す斜視図。
【図４】本発明に係る海外コンセント用アダプタの一実施例を示す斜視図
【図５】本発明に係る海外コンセント用アダプタの一実施例を示す斜視図
【図６】本発明に係る海外コンセント用アダプタにおける第二アダプタの一実施例を示す平面図。
【符号の説明】
１    第一アダプタ
１ａ  第一基板
２    第二アダプタ
２ａ  第二基板
Ａ    プラグ端子
Ｂ    ＢＦタイプ用アース穴用ピン
Ｃ    Ｂ３タイプ用アース穴用ピン
Ｄ    Ｏタイプ用プラグ端子
Ｅ    Ｏタイプ用アース穴用ピン
【図１】
0003946491.tif 000002
【図２】
0003946491.tif 000003
【図３】
0003946491.tif 000004
【図４】
0003946491.tif 000005
【図５】
0003946491.tif 000006
【図６】
0003946491.tif 000007